(57)【要約】【課題】送風式の薬剤放散器に装飾手段を備えることなしに、使用時に十分な装飾効果が得られる飾付け用具とする。【解決手段】上面に開口部２ａを有し薬剤放散器５が挿入、抜き出し自在な収納部２と、縦面又は横面に設置するための設置部３と、前記収納部２の周囲に設けられ造花などの装飾物を設けるための取付部４を有した飾付け用具で、この飾付け用具の収納部２に薬剤放散器５を収納した状態で縦面又は横面に設置すると共に、取付部４に装飾物を設けて使用することで、その装飾物によって十分な装飾効果が得られる。【選択図】図１
2007151720.tif 000002
【特許請求の範囲】
【請求項１】
上面の開口部２ａから送風式の薬剤放散器５が挿入、抜き出し自在である収納部２と、
この収納部２の周囲に設けられ、装飾物を設ける取付部４と、
縦面Ａ及び／又は横面Ｂに設置するための設置部３を有したことを特徴とする飾付け用具。
【請求項２】
前記取付部４は、上面が開口した上向きコ字状で、装飾物の下部が挿入され、
この取付部４の上方位置に支持部４ａを設け、この支持部４ａで装飾物の上部を支持するようにした請求項１記載の飾付け用具。
【請求項３】
収納部２と取付部４と設置部３を有した飾付け用具１と、
前記収納部２内に挿入、抜き出し自在な放散器本体２０内に送風機２１と薬剤２２を設けた送風式の薬剤放散器５を備え、
この放散器本体２０を収納部２の上面の開口部２ａから挿入して使用するようにした送風式の薬剤放散装置において、
前記飾付け用具１の取付部４に、装飾物を設けることができるようにしたことを特徴とする送風式の薬剤放散装置。
【請求項４】
送風式の薬剤放散器５の放散器本体２０は、吸込口２８と放出口２７を有し、送風機２１を駆動することで吸込口２８から空気を吸い込んで薬剤２２を通して放出口２７から放出する構成とし、
飾付け用具１の収納部２の内面における放散器本体２０の吸込口２８を形成した吸込口形成面と対向した対向面と、前記吸込口形成面との間に吸込口２８を外部に連通する空気流通路１６を形成した請求項３記載の送風式の薬剤放散装置。
【請求項５】
送風式の薬剤放散器５の放散器本体２０は、閉塞された前面２０ａと、放出口２７を有する周面と、吸込口２８を有する裏面２０ｅで囲まれた箱形状で、送風機２１を駆動することで吸込口２８から空気を吸い込んで薬剤２２を通して放出口２７から放出する構成とし、
飾付け用具１の収納部２を形成する裏面板１０の前面を凹凸形状とし、この裏面板１０に放散器本体２０の裏面２０ｅが接して両者の間に空気流通路１６を形成し、この空気流通路１６は吸込口２８を外部に連通するようにした請求項３記載の送風式の薬剤放散装置。
【請求項６】
送風式の薬剤放散器５の放散器本体２０は、閉塞された前面２０ａと、放出口２７を有する周面と、吸込口２８を有する裏面２０ｅで囲まれた箱形状で、送風機２１を駆動することで吸込口２８から空気を吸い込んで薬剤２２を通して放出口２７から放出する構成とし、
飾付け用具１の収納部２を形成する裏面板１０を流入口４７を有するものとし、この裏面板１０の裏面と縦面との間に外部に開口した隙間４８を形成し、この隙間４８が流入口４７を通って吸込口２８に連通するようにして空気流通路１６とした請求項３記載の送風式の薬剤放散装置。
【発明の詳細な説明】
【技術分野】
【０００１】
本発明は、送風式の薬剤放散器を使用する際に用いる飾付け用具及びその飾付け用具と薬剤放散器を組み合わせた送風式の薬剤放散装置に関する。
【背景技術】
【０００２】
居住空間において、その空間の芳香、消臭、害虫防除などの目的で使用される送風式の薬剤放散器が知られている。
例えば、特許文献１に開示されたように、放散器本体内にファンと薬剤を設け、そのファンを駆動することで薬剤を含む空気を大気に放散するようにした送風式の薬剤放散器が知られている。
【０００３】
【特許文献１】特開２００３−１０２３６１号公報
【発明の開示】
【発明が解決しようとする課題】
【０００４】
快適な居住空間を得るには、芳香等の薬剤効果を得ると共に、その空間に装飾効果を得て雰囲気を変えることも重要なことである。
しかし、従来の送風式の薬剤放散器は機械的な外観を有するもので、その空間に不釣り合いで違和感を否めないばかりか、前述の装飾効果が期待できない。
このようなことから、前述の薬剤放散器の放散器本体の形状を変えたり色を変えたり、カラーデザインを付与するなどして前述の装飾効果を得ようとしているが、このようにしただけでは、薬剤放散器自身の雰囲気を改良することはできても空間としての雰囲気を変えるに不充分で、十分な装飾効果が得られない。
これらのことから、放散器本体に装飾手段を備えることが考えられるが、放散器本体に装飾手段を備えることは構造を複雑化して、その製作金型は高精度化、大型化になりやすい。また製作工程が多くなりやすい。
また、装飾内容や装飾種類に限度がある。
また、金型改良に限度があり、段階的商品改良を容易に行えない。
【０００５】
本発明の目的は、送風式の薬剤放散器の放散器本体に装飾手段を備えることなしに、その薬剤放散器を使用する際に十分な装飾効果が得られるようにした飾付け用具及び送風式の薬剤放散装置を提供することである。
【課題を解決するための手段】
【０００６】
第１の発明は、上面の開口部２ａから送風式の薬剤放散器５が挿入、抜き出し自在である収納部２と、
この収納部２の周囲に設けられ、装飾物を設ける取付部４と、
縦面Ａ及び／又は横面Ｂに設置するための設置部３を有したことを特徴とする飾付け用具である。
【０００７】
第２の発明は、第１の発明において、前記取付部４は、上面が開口した上向きコ字状で、装飾物の下部が挿入され、
この取付部４の上方位置に支持部４ａを設け、この支持部４ａで装飾物の上部を支持するようにした飾付け用具である。
【０００８】
第３の発明は、収納部２と取付部４と設置部３を有した飾付け用具１と、
前記収納部２内に挿入、抜き出し自在な放散器本体２０内に送風機２１と薬剤２２を設けた送風式の薬剤放散器５を備え、
この放散器本体２０を収納部２の上面の開口部２ａから挿入して使用するようにした送風式の薬剤放散装置において、
前記飾付け用具１の取付部４に、装飾物を設けることができるようにしたことを特徴とする送風式の薬剤放散装置である。
【０００９】
第４の発明は、第３の発明において、送風式の薬剤放散器５の放散器本体２０は、吸込口２８と放出口２７を有し、送風機２１を駆動することで吸込口２８から空気を吸い込んで薬剤２２を通して放出口２７から放出する構成とし、
飾付け用具１の収納部２の内面における放散器本体２０の吸込口２８を形成した吸込口形成面と対向した対向面と、前記吸込口形成面との間に吸込口２８を外部に連通する空気流通路１６を形成した送風式の薬剤放散装置である。
【００１０】
第５の発明は、第３の発明において、送風式の薬剤放散器５の放散器本体２０は、閉塞された前面２０ａと、放出口２７を有する周面と、吸込口２８を有する裏面２０ｅで囲まれた箱形状で、送風機２１を駆動することで吸込口２８から空気を吸い込んで薬剤２２を通して放出口２７から放出する構成とし、
飾付け用具１の収納部２を形成する裏面板１０の前面を凹凸形状とし、この裏面板１０に放散器本体２０の裏面２０ｅが接して両者の間に空気流通路１６を形成し、この空気流通路１６は吸込口２８を外部に連通するようにした送風式の薬剤放散装置である。
【００１１】
第６の発明は、第３の発明において、送風式の薬剤放散器５の放散器本体２０は、閉塞された前面２０ａと、放出口２７を有する周面と、吸込口２８を有する裏面２０ｅで囲まれた箱形状で、送風機２１を駆動することで吸込口２８から空気を吸い込んで薬剤２２を通して放出口２７から放出する構成とし、
飾付け用具１の収納部２を形成する裏面板１０を流入口４７を有するものとし、この裏面板１０の裏面と縦面との間に外部に開口した隙間４８を形成し、この隙間４８が流入口４７を通って吸込口２８に連通するようにして空気流通路１６とした送風式の薬剤放散装置である。
【発明の効果】
【００１２】
請求項１に係る発明によれば、飾付け用具１の収納部２に薬剤放散器５を収納し、その取付部４に装飾物を取付けると共に、設置部３によって縦面又は横面に設置することで薬剤放散器５から薬剤を大気に放散して使用できるので、その飾付け用具１に取付けした装飾物で十分な装飾効果が得られる。
したがって、薬剤放散器５の放散器本体２０に装飾手段を備えることなしに、その薬剤放散器を使用する時に十分な装飾効果が得られる。
【００１３】
請求項２に係る発明によれば、造花などの長い装飾物の下部を取付部４に差し込み、その上部を支持部４ａで支持することで、長い装飾物を倒れることなく安定して取付けできる。
【００１４】
請求項３に係る発明によれば、薬剤放散器５の放散器本体２０に装飾手段を備えることなしに、その薬剤放散器５を使用する際に十分な装飾効果が得られる。
【００１５】
請求項４，５，６に係る発明によれば、収納部２内に放散器本体２０をガタつくことなしに挿入して収納した状態で、空気流通路１６から空気を吸込口２８にスムーズに吸い込みできる。
【発明を実施するための最良の形態】
【００１６】
本発明の飾付け用具の第１の実施の形態を図１〜図３に基づいて説明する。
飾付け用具１は、収納部２と設置部３と取付部４を備えている。
前記収納部２は、上面に開口部２ａを有する箱形状で、送風式の薬剤放散器５が開口部２ａから挿入、抜き出し自在である。
前記設置部３は、飾付け用具１を縦面及び／又は横面に設置するためのもので、収納部２の裏側上部に設けた吊り下げ部分３ａと、収納部２の下部に設けた複数の脚部３ｂを有する。
前記吊り下げ部３ａを、紐、フックなどで縦面Ａに取付けることで飾付け用具１を縦面Ａに設置する。
前記脚部３ｂを横面Ｂに接することで飾付け用具１を横面Ｂに設置する。
前記取付部４は造花などの装飾物を取付けるもので、この取付部４は上面が開口した凹形状で、収納部２の周囲に設けてある。
例えば、収納部２の前面２ｃ、左右の側面２ｄにそれぞれ設けてある。
この取付部４は、図１に仮想線で示すように造花などの装飾物Ｃを差し込んで取付けるので、その装飾物Ｃが長い場合には取付部４よりも上方位置に支持部４ａを設け、この支持部４ａに長い装飾物Ｃの上部寄りが接して倒れないように支持する。
【００１７】
このようであるから、飾付け用具１を縦面Ａ又は横面Ｂに設置し、その収納部２に薬剤放散器５を収納して取付けると共に、取付部４に装飾物を取付けることで、使用状態の薬剤放散器５の近くを装飾物で装飾することができるから、薬剤放散器を使用する際に十分な装飾効果が得られる。
【００１８】
前記飾付け用具１の具体形状の一例を説明する。
図１〜図４に示すように、裏面板１０と両側面板１１，１１と前面板１２と底面板１３で上面が開口した箱形状の用具本体１ａとし、この用具本体１ａが収納部２を形成する。
前記裏面板１０を側面板１１、前面板１２よりも上方に突出した長い形状とし、その上部に穴１０ａを形成して前述の吊り下げ部３ａとしてある。
前記両側面板１１の下部を前面板１２、底面板１３よりも下方に突出して前述の脚部３ｂとする。
前記前面板１２、両側面板１１の外面に横断面コ字状で底板を有するプレート１４を取付け、このプレート１４と前面板１２、両側面板１１の外面でポケット形状の取付部４とする。
前記裏面板１０の左右両端面に跨って平面コ字状の枠１５を固着して前述の支持部４ａとする。
【００１９】
次に、前記送風式の薬剤放散器５について説明する。
図５に示すように、薬剤放散器５は放散器本体２０内に送風機２１と薬剤２２を設けたものである。
前記放散器本体２０は、前面２０ａと、周面、つまり上面２０ｂ、下面２０ｃ、左右側面２０ｄと、裏面２０ｅで囲まれた箱形状で、送風機収納室２３と薬剤収納室２４と電池収納室２５を有し、送風機収納室２３と薬剤収納室２４は開口部２６で連通している。
前記前面２０ａは閉塞され、周面、例えば下面２０ｃには送風機収納室２３に開口した放出口２７が形成してある。前記薬剤収納室２４は裏面２０ｅに開口し、裏面２０ｅから薬剤２２を挿入できるようにしていると共に、裏面２０ｅに吸込口２８を形成している。
【００２０】
前記薬剤２２は、薬剤容器３０に薬剤含浸体３１を入れ、押え部材３２で保持したもので、その薬剤容器３０の通気部３０ａ、押え部材３２の通気部３２ａを空気が流れることで薬剤含浸体３１に空気が流通する。
前記薬剤２２は薬剤収納室２４内に挿入され、その開口部（吸込口２８）に着脱自在に取付けした保持リング２９で抜け落ちないように保持している。
この保持リング２９はスナップリングなどのように弾性力で止めても良いし、螺合して取付けるようにしても良い。
【００２１】
この送風式の薬剤放散器５を、図１〜図３に示すように飾付け用具１の収納部２に収納することで送風式の薬剤放散装置を構成する。
すなわち、前述の薬剤放散器５は図６に示すように飾付け用具１の収納部２に収納して使用されるが、その際に吸込口２８からスムーズに空気を吸い込み、放出口２７から大気にスムーズに放出できるようにするために飾付け用具１は次のようにしてある。
【００２２】
前記収納部２は前述したように、上面に開口部２ａを有する箱形状で、その内部に薬剤放散器５の放散器本体２０が収納されるので、その収納部２の内周面と放散器本体２０の外周面（前面２０ａ、下面２０ｃ、左右側面２０ｄ、裏面２０ｅ）が大きな隙間を形成することなしに接するようにして、ガタつくことがないようにしてある。
【００２３】
このために、吸込口２８に向けて空気が流れ難くなるので、放散器本体２０の吸込口２８を形成した吸込口形成面（例えば裏面２０ｅ）と、この吸込口形成面と対向した収納部２の対向面（例えば、裏面板１０の前面）との間に空気流通路１６を形成している。例えば収納部２の対向面を凹凸形状として前述の裏面２０ｅと裏面板１０の前面との間に空気流通路１６を形成している。
具体的には、図４に示すように裏面板１０の前面１０ｂに突条片１７を上下方向に向けて左右方向に間隔を置いて設け、この突条片１７に放散器本体２０の裏面２０ｅが接し隣接した突条片１７間と裏面２０ｅとの間に上下方向に連続した空気流通路１６を形成する。
このようにすることで、空気流通路１６を通して空気がスムーズに吸込口２８に向けて流れる。
【００２４】
また、放散器本体２０の下面２０ｃが底面板１３に接し、その下面２０ｃに放出口２７が形成されているので、収納部２の底部、例えば底面板１３に流出口１３ａを放出口２７と対向して形成し、放出口２７から放出された薬剤を含む空気が流出口１３ａから下方に流出するようにしてある。
このようにすることで、飾付け用具１を縦面Ａに取付けて使用する場合に、薬剤を含む空気は下方に向けて放散される。
なお、薬剤放散器５を上下反転して収納部２に挿入すれば、放出口２７が上向きとなるので、薬剤を含む空気は上方に向けて放散される。
【００２５】
次に、本発明の他の実施の形態を説明する。
前記取付部４は収納部２の前面２ｃ、左右の側面２ｄにそれぞれ設けたが、いずれか１つの面又は複数の面にのみ取付部４を設けても良い。
前記取付部４は上面が開口した凹形状で、幅広いものであるが、幅狭い凹形状の取付部４を１つの面に複数設けるようにしても良いし、幅狭い凹形状の取付部４を１つの面に１つ設けても良い。
【００２６】
前記取付部４は収納部２の前面板１２、側面板１１とプレート１４で形成してあるが、収納部２の前面板１２、側面板１１と放散器本体２０で形成しても良い。
例えば、図７に示すように側面板１１、前面板１２を湾曲した形状とし、その湾曲部１１ａ，１２ａと放散器本体２０の側面２０ｄ、前面２０ａとで上面が開口した凹形状の取付部４とする。この場合にも取付部４の数、設ける位置は前述と同様に任意である。
【００２７】
前記支持部４ａは前面２ｃ、左右の側面２ｄにそれぞれ設けた取付部４の全部に跨るように設けたが、前面２ｃの取付部４、又は側面２ｄの取付部４だけに設けるようにしても良い。
前記支持部４ａは裏面板１０の左右両側面に跨って取付けた枠１５で形成してあるが、収納部２の前面板１２、側面板１１の両方又は一方に形成しても良い。
前記支持部４ａは直線状に設けたが、前述の取付部４の形状や数に応じて、例えば複数の支持部を連結して設けたり、湾曲した形状などにするようにしても良い。
また、前記支持部４ａは取付ける装飾物の種類や大きさ（背丈など）及び放散器本体２０の大きさによっては設けなくても良い。
【００２８】
前述のように空気流通路１６を構成するには、突条片１７を設けて凹凸形状としたが、これに限ることはなく、矩形突起又は円形突起を複数設けて凹凸形状としても良いし、裏面板１０の全面、又はその一部を波形状に湾曲させて凹凸形状として空気流通路１６を構成しても良い。
【００２９】
前記放散器本体２０の下面２０ｃを収納部２の底面（底面板１３）に接して放散器本体２０を支持したが、支持する部材を収納部２の内周面に設けても良い。このようにすれば、底面板１３が不要で、収納部２を上面、下面が開放したものとすることができる。
例えば、前述の突条片１７をＬ字形状として突条片１７の下部で支持する。裏面板１０に突片を設け、その突片で支持する。
【００３０】
また、放散器本体２０に支持部を設け、その支持部を収納部２に係止して支持するようにしても良い。このようにすれば、底面板１３が不要で、収納部２を上面、下面が開放したものとすることができる。
例えば、図８に示すように放散器本体２０の前面２０ａに電池収納室２５を、前面２０ａよりも張り出して設け、飾付け用具１の前面板１２に、上面に開口した溝１８を形成し、この溝１８に電池収納室２５を挿入して支持する。
【００３１】
前記取付部４は上面が開口した上向き凹形状で、造花などの装飾物を差し込んで取付けるようにしたが、これに限ることはなく、蔓状草花など造花、花輪、ペット等造形物、マスコットなどの装飾物を引掛けて吊り下げるようにしたフック形状としても良い。
例えば、図９に示すように前面板１２の上縁部を切り起こして舌片状のフックとすることで取付部４とする。または、図８に示すように裏面板１０の上縁部を切り起こして舌片状のフックとすることで取付部４とする。
図９には、前述の円形突起１７ａ、突片１７ｂが図示してある。
また、装飾物を引掛けて吊り下げるようにした前記取付部４を、装飾物を差し込んで取付けるようにした前述の取付部４、又は装飾物を倒れないように支持するようにした前述の支持部４ａに設けることもできる。
【００３２】
前記取付部４を穴形状とし、その穴から造花などの装飾物を差し込むようにしても良い。
例えば、図１０、図１１、図１２に示すように、側面板１１と放散器本体２０の側面２０ｄとの間に空洞部４０を形成し、側面板１１と前面板１２における空洞部４０と対向した位置に穴４１を形成し、この穴４１から装飾物を空洞部４０に差し込むようにして取付部４とする。
【００３３】
前記取付部４は、写真、カレンダー、ミニ絵画などの板状の装飾物を取付けできる形状としても良い。
例えば、図１０，図１１、図１２に示すように前面板１２の下部に支持枠４２、上部に押え枠４３を設け、図１１に仮想線で示すように、板状の装飾物Ｃを支持枠４２に載置して支持すると共に、押え枠４３で倒れないように押さえるようにする。
【００３４】
前記収納部２と放散器本体２０の関係は、図１のように前面２０ａの略上半分が露出するものでも良いし、図８、図９、図１１に示すように、放散器本体２０のほぼ全部が収納部２内に収納されるものでも良い。
【００３５】
前記収納部２は裏面板１０、左右の側面板１１，１１、前面板１２、底面板１３で上面に開口部２ａを有する箱形状としたが、これに限ることはなく、例えば図１３、図１４に示すように、裏面板１０と底面板１３と前面板１２で上面と左右側面が開放した上向きコ字形状としても良い。
この実施の形態では、裏面板１０の幅が薬剤放散器５の左右寸法よりも小さく、その放散器本体２０の裏面２０ｅの左右両側部分が裏面板１０よりも左右に張り出しているので、吸込口２８の左右両側部分が露出し、空気を吸い込むことができる。したがって、前述の空気流通路１６を形成する必要がない。
【００３６】
また、裏面板１０にほぼ長コ字形状に切れ目４４を入れ、この切れ目４４で囲まれた部分を支持脚４５としてあり、飾付け用具１を横面Ｂに設置する際には支持脚４５を斜めとして横面Ｂに接することで飾付け用具１を垂直姿勢に対して斜めとなった斜め姿勢で設置するようにしてある。
なお、この支持脚４５部分を打ち抜いて空気入口とすることもできるし、裏面板１０の幅を前面板１２の幅よりも大きくしても良い。
【００３７】
前述の空気流通路１６は飾付け用具１の裏面板１０と縦面Ａとの間に形成しても良い。
例えば、図１５、図１６、図１７に示すように裏面板１０を凹凸形状、例えば両側凸部４５と中央凹部４６を有する凹凸形状とし、その中央凹部４６の部分に流入口４７を形成する。
そして、両側凸部４５を縦面Ａに接して取付け、その縦面Ａと中央凹部４６との間に隙間４８を形成し、この隙間４８が流入口４７を通って吸込口２８に連通するようにして空気流通路１６を形成する。
【００３８】
この実施の形態では、装飾物を開口部４１から空洞部４０に差し込んで取付ける取付部４としてある。
また、前面板１２は左右側面板１１と連続した左右のＬ字形状の板４９よりなり、その左右の板４９間に放散器本体２０の電池収納室２５が挿入されている。
【００３９】
前述の飾付け用具１に組み入れる放散器本体２０は、前面２０ａから空気を吸い込むものでも使用可能である。好ましくは、造花等で飾り付けを行う際に、放散器本体２０の前面２０ａを傷つける恐れがあることから前面２０ａが閉塞され、裏面２０ｅから空気が吸い込まれる放散器本体２０が良い。
居住空間での使用場所は、トイレ、台所、居間、寝室、出入口空間などいろいろである。また、これらの場所での配置方法も壁に固定したり、吊す、台上に置く、床上に置く、などといろいろである。好ましくは、いろいろな配置方法が備えられていればいろいろな場所で使える。
このことから、装置本体と飾付け用具との組み合わせが配置面と密着し、装置本体の吸い込み面が塞がれても空気が装置本体内部に正常に流通するように構成されている。
飾り付ける造花等の装飾物は、模造の花、草花、草木、観葉植物、果実、ドライフラワー、ペーパークラフト造形物が挙げられる。また、その装飾物は、使用者が市販品などを購入して飾りつけることができるし、単品として発売しても良いし、装飾物付商品としても良い。
【００４０】
前述の各実施の形態では、収納部２における放散器本体２０の吸込口形成面（例えば、裏面２０ｅ）と対向した対向面（例えば、裏面板１０の前面１０ｂ）を凹凸形状として空気流通路１６を形成したが、放散器本体２０の形状を変えることで空気流通路１６を形成しても良い。
例えば、放散器本体２０の吸込口形成面（例えば、裏面２０ｅ）を凹凸形状として収納部２の前述した対向面との間に空気流通路１６を形成する。放散器本体２０の吸込口形成面（例えば、裏面２０ｅ）の周縁部分に切欠部を周面まで連続して形成し、この切欠部を通して吸込口に空気が流入するようにして空気流通路１６とする。
【００４１】
または、放散器本体２０に空隙保持部材を吸込口形成面よりも突出して取付け、この空隙保持部材を収納部２の前述した対向面に接して放散器本体２０を収納部２内に設けることで、収納部２の対向面と放散器本体２０の吸込口形成面との間に空気流通路１６を形成する。
例えば、図１８に示すように保持リング２９に複数の支持片２９ａを周方向に複数設けて空隙保持部材とし、その支持片２９ａを裏面板１０の前面１０ｂに当接して空気流通路１６を形成する。
これによって、放散器本体２０の吸込口２８が空気流通路１６を通って外部に連通するので、吸込口２８に空気をスムーズに吸い込みできる。
【００４２】
本発明の薬剤含浸体３１の材質として無機質及び有機質の成形材料から成形されたものとしては、紙類（パルプ、リンター、合成紙など）、木製類（おがくずなど）、セラミック、繊維類（化学繊維、ガラス繊維、炭素繊維など）、天然繊維（木綿、羊毛、絹、麻など）、樹脂類（ポリエチレン、ポリプロピレン、レーヨン、ビスコース、高吸油性ポリマーなど）、その他各繊維からの不織布、天然植物等の乾燥物などが挙げられる。成形物の形状としては、有効面積の大きいものが好ましく、粒状、線状、糸状などが例示できる。また、通気性の大きいものが好ましく、ビーズ形、網形、ハニカム形、すのこ形、格子形などが例示できる。
また、薬剤含浸体３１を送風機のファンに保持しても良い。
【図面の簡単な説明】
【００４３】
【図１】本発明の第１の実施の形態を示す正面図である。
【図２】本発明の第１の実施の形態を示す側面図である。
【図３】本発明の第１の実施の形態を示す平面図である。
【図４】飾付け用具の斜視図である。
【図５】送風式の薬剤放散器の断面図である。
【図６】図１の縦断面図である。
【図７】第２の実施の形態を示す平面図である。
【図８】第３の実施の形態を示す正面図である。
【図９】第４の実施の形態を示す正面図である。
【図１０】第５の実施の形態を示す斜視図である。
【図１１】第５の実施の形態を示す側面図である。
【図１２】第５の実施の形態を示す平面図である。
【図１３】第６の実施の形態を示す側面図である。
【図１４】第６の実施の形態を示す背面図である。
【図１５】第７の実施の形態を示す正面図である。
【図１６】第７の実施の形態を示す背面図である。
【図１７】第７の実施の形態を示す平面図である。
【図１８】第８の実施の形態を示す断面図である。
【００４４】
１…飾付け用具、２…収納部、２ａ…開口部、３…設置部、４…取付部、４ａ…支持部、５…送風式の薬剤放散器、１０…裏面板、１１…側面板、１２…前面板、１３…底面板、１６…空気流通路、２０…放散器本体、２１…送風機、２２…薬剤、２７…放出口、２８…吸込口、４７…流入口、４８…隙間。
【図１】
2007151720.tif 000003
【図２】
2007151720.tif 000004
【図３】
2007151720.tif 000005
【図４】
2007151720.tif 000006
【図５】
2007151720.tif 000007
【図６】
2007151720.tif 000008
【図７】
2007151720.tif 000009
【図８】
2007151720.tif 000010
【図９】
2007151720.tif 000011
【図１０】
2007151720.tif 000012
【図１１】
2007151720.tif 000013
【図１２】
2007151720.tif 000014
【図１３】
2007151720.tif 000015
【図１４】
2007151720.tif 000016
【図１５】
2007151720.tif 000017
【図１６】
2007151720.tif 000018
【図１７】
2007151720.tif 000019
【図１８】
2007151720.tif 000020